(57)【要約】【課題】製本処理後のヒータの温度制御を的確に行うことにより、省エネルギー、コスト低減、臭気発生の抑制を図り、且つ、装置に損傷を与えることなく糊の温度を塗布に適した温度に復帰させるまでの時間を短縮できる製本装置及び製本システムの提供。【解決手段】画像形成装置から送られた複数枚の用紙を整合して用紙束を形成し、前記用紙束の背に糊を塗布して冊子を作成する製本装置において、糊を収容する収容部材と、該収容部材中の糊に接して回動する回動部材と、前記収容部材中の糊を溶融し、設定温度になるように加熱するヒータと、製本処理を行うジョブが終了した時に、前記設定温度を製本処理時の第１の設定温度から、糊の融点以上で前記第１の設定温度未満の第２の設定温度に切り替える制御手段とを有することを特徴とする製本装置。【選択図】図９
2008302576.tif 000002
【特許請求の範囲】
【請求項１】
画像形成装置から送られた複数枚の用紙を整合して用紙束を形成し、前記用紙束の背に糊を塗布して冊子を作成する製本装置において、
糊を収容する収容部材と、
該収容部材中の糊に接して回動する回動部材と、
前記収容部材中の糊を溶融し、設定温度になるように加熱するヒータと、
製本処理を行うジョブが終了した時に、前記設定温度を製本処理時の第１の設定温度から、糊の融点以上で前記第１の設定温度未満の第２の設定温度に切り替える制御手段と
を有することを特徴とする製本装置。
【請求項２】
前記第２の設定温度が糊の融点であることを特徴とする請求項１に記載の製本装置。
【請求項３】
前記制御手段は、
前記設定温度を前記第２の設定温度に設定している間に、製本処理を行うジョブが設定されていることを認識したときに、
前記設定温度を前記第２の設定温度から第１の設定温度に切り替えることを特徴とする請求項１又は２に記載の製本装置。
【請求項４】
前記制御手段は、
前記設定温度を前記第２の設定温度に設定している間に、製本処理を行うジョブが設定されていることを認識したときに、
認識された前記ジョブが開始されるまでの時間を算出して、算出された時間を基に、
前記設定温度を前記第２の設定温度から第１の設定温度に切り替えるタイミングを決定することを特徴とする請求項１又は２に記載の製本装置。
【請求項５】
前記制御手段は、
画像形成装置が節電状態又は電源シャットオフ状態に入るのに連動して、前記設定温度を前記第１の設定温度から前記第２の設定温度に切り替えるか、又は製本装置の電源をシャットオフするように制御することを特徴とする請求項１〜４のいずれか１項に記載の製本装置。
【請求項６】
前記回動部材は、用紙束の背に糊を塗布する塗布ローラであることを特徴とする請求項１〜５のいずれか１項に記載の製本装置。
【請求項７】
画像形成装置と請求項１〜６のいずれか１項に記載の製本装置とが接続されていることを特徴とする製本システム。
【発明の詳細な説明】
【技術分野】
【０００１】
本発明は、整合した用紙束の背に糊を塗布して冊子を作成する製本装置及び製本システムに関する。
【背景技術】
【０００２】
画像記録済みの用紙を積み重ねて用紙束を形成し、この用紙束の背に熱溶融タイプ（ホットメルトタイプ）の糊を塗布して綴じ処理を行い、冊子を作成する製本装置は、広く一般に使用されている装置である。
【０００３】
用紙束の背に塗布される糊は、常温では固形の団塊であって、所定の量が装置のホッパーに投入される。
【０００４】
ホッパー内の固形糊は、適量ずつ所定のタイミングで収容部材である溶融タンクに送られ、ヒータを有する溶融タンクにて溶融された後、所定の設定温度に維持される。所定の設定温度に維持されている糊は、塗布手段により用紙束の背に塗布される。
【０００５】
製本を連続して行う場合には、溶融タンクに貯留されている糊は、塗布に最適な設定温度に維持されていることが望ましい。
【０００６】
ところが、製本を行わない状態が長時間にわたる場合、溶融タンクに貯留されている糊を塗布に最適な設定温度に維持すると、無駄な電力の消費、糊の劣化、糊の臭気発生につながることもある。
【０００７】
このような不都合は、省エネルギー、コスト低減、快適な作業環境維持を重視するオフィスの要求に適合しないものである。
【０００８】
上述したような不都合を解消する製本装置として、特許文献１には製本が完了した後にヒータをオフすること、又は、塗布可能温度より低い温度に切り替えることが記載されている。
【０００９】
しかしながら、ヒータをオフした場合、糊は室温に下がってしまうため、一旦液化した状態の糊は再度固化してしまう。
【００１０】
従って、塗布を行う際には、その状態の糊を再び塗布可能温度に復帰させる必要があり、長い復帰時間を要する。
【００１１】
また、ヒータをオフせずに、塗布可能温度より低い温度に切り替える場合も、切り替えられた温度が低すぎると復帰に要する時間が長くなる。
【００１２】
さらに、固化した糊が液化する前に糊と接している塗布ローラを回動させてしまうと塗布ローラの駆動機構や駆動回路が損傷する恐れもあった。
【特許文献１】特開２００７−５７５８０号公報
【発明の開示】
【発明が解決しようとする課題】
【００１３】
本発明は上述したような状況に鑑みてなされたもので、その目的は、製本処理後のヒータによる糊の温度制御を的確に行うことにより、省エネルギー、コスト低減、臭気発生の抑制を図り、且つ、装置に損傷を与えることなく糊の温度を塗布に適した温度に復帰させるまでの時間を短縮できる製本装置及び製本システムの提供にある。
【課題を解決するための手段】
【００１４】
上記課題は、以下の発明を実現することにより達成される。
１．画像形成装置から送られた複数枚の用紙を整合して用紙束を形成し、前記用紙束の背に糊を塗布して冊子を作成する製本装置において、
糊を収容する収容部材と、
該収容部材中の糊に接して回動する回動部材と、
前記収容部材中の糊を溶融し、設定温度になるように加熱するヒータと、
製本処理を行うジョブが終了した時に、前記設定温度を製本処理時の第１の設定温度から、糊の融点以上で前記第１の設定温度未満の第２の設定温度に切り替える制御手段と
を有することを特徴とする製本装置。
２．前記第２の設定温度が糊の融点であることを特徴とする１項に記載の製本装置。
３．前記制御手段は、
前記設定温度を前記第２の設定温度に設定している間に、製本処理を行うジョブが設定されていることを認識したときに、
前記設定温度を前記第２の設定温度から第１の設定温度に切り替えることを特徴とする１又は２項に記載の製本装置。
４．前記制御手段は、
前記設定温度を前記第２の設定温度に設定している間に、製本処理を行うジョブが設定されていることを認識したときに、
認識された前記ジョブが開始されるまでの時間を算出して、算出された時間を基に、
前記設定温度を前記第２の設定温度から第１の設定温度に切り替えるタイミングを決定することを特徴とする１又は２項に記載の製本装置。
５．前記制御手段は、
画像形成装置が節電状態又は電源シャットオフ状態に入るのに連動して、前記設定温度を前記第１の設定温度から前記第２の設定温度に切り替えるか、又は製本装置の電源をシャットオフするように制御することを特徴とする１〜４項のいずれか１項に記載の製本装置。
６．前記回動部材は、用紙束の背に糊を塗布する塗布ローラであることを特徴とする１〜５項のいずれか１項に記載の製本装置。
７．画像形成装置と１〜６項のいずれか１項に記載の製本装置とが接続されていることを特徴とする製本システム。
【発明の効果】
【００１５】
本発明により、製本装置及び製本システムの節電、糊の劣化防止、臭気発生の抑制が実現されることから、オフィスにおける省エネルギー化、コスト低減、良好な作業環境維持を図ることができる。
【００１６】
さらに、第２の設定温度から第１の設定温度に糊の温度を復帰させる際に、収容部材中の糊に接している回動部材をその駆動機構に損傷を与えることなく、直ちに起動させることができることから、速やかに糊の攪拌が開始され、糊が一様に第１の設定温度になる復帰時間が短縮される。
【発明を実施するための最良の形態】
【００１７】
以下、本発明の実施の形態の例を図を基にして説明する。
【００１８】
図１は、製本システムの概念図である。
【００１９】
例示する製本システムは、画像形成装置Ａと製本装置Ｂとから構成される。なお、本実施の形態においては、製本された冊子を収容する冊子収容装置Ｃが前記製本装置Ｂに接続されている。
【００２０】
先ず、画像形成装置と製本装置の概要を説明する。
【００２１】
［画像形成装置Ａ］
画像形成装置Ａは、回転する像担持体１の周囲に、帯電手段２、像露光手段３、現像手段４、転写除電手段５、及びクリーニング手段６を配置した画像形成手段を有する。
【００２２】
画像形成手段は、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００２３】
用紙収納手段７Ａから給紙された用紙Ｓは転写位置へと送られる。転写位置において転写除電手段５によりトナー像が用紙Ｓ上に転写された後に、用紙Ｓの電荷が消去されて像担持体１から分離され、搬送手段７Ｂにより搬送され、引き続き定着手段８により加熱定着され、排紙ローラ７Ｃから排出される。
【００２４】
用紙Ｓの両面に画像形成を行う場合には、定着手段８により加熱定着された用紙Ｓを、搬送路切換手段７Ｄにより通常の排紙通路から分岐し、反転搬送手段７Ｅにおいてスイッチバックして表裏反転した後、再び画像形成部を通過し、用紙Ｓの裏面に画像を形成し、定着手段８を経て、排紙ローラ７Ｃから装置外に排出される。排紙ローラ７Ｃから排出された用紙Ｓは、製本装置Ｂに送り込まれる。
【００２５】
像担持体１の画像処理後の表面は、クリーニング手段６により表面に残留している現像剤が除去され、次の画像形成に備える。
【００２６】
画像形成装置Ａの上部には、入力手段及び表示手段を備えた操作表示手段９が配置されている。
【００２７】
［製本装置Ｂ］
本発明に係る製本装置Ｂは、用紙搬送手段１０、排紙手段２０、用紙束収容手段３０、用紙束搬送手段４０、糊塗布手段５０、表紙供給手段６０、表紙断裁手段７０、表紙支持手段８０、操作表示手段９０を備えている。
【００２８】
画像形成装置Ａで画像形成がされた用紙Ｓは、用紙搬送手段１０により搬送され、用紙束収納手段３０で複数枚の用紙Ｓが集積され、用紙束Ｓ１を形成する。
【００２９】
用紙束Ｓ１は用紙束搬送手段４０により所定位置に搬送され、糊塗布手段５０により用紙束Ｓ１の背に糊が塗布される。
【００３０】
糊が塗布された用紙束Ｓ１の背には、表紙支持手段８０に支持された表紙用紙Ｓ２が接着され、用紙束Ｓ１の背の両縁に沿って折り曲げられ、冊子Ｓ３が完成する。
【００３１】
次いで、製本の各工程を詳細に説明する。
【００３２】
用紙搬送手段１０に導入された用紙Ｓは、複数の搬送ローラ、及び搬送路切替ゲートにより、排紙手段２０、用紙束収納手段３０、あるいは、表紙支持手段８０の何れかに搬送される。
【００３３】
製本処理の指定が無い場合には、搬送路切替ゲートの設定により排紙手段２０の排紙トレイに画像形成装置Ａから排出された用紙Ｓを直接受容する。
【００３４】
図２は、用紙束Ｓ１の形成と以降の工程を説明する製本装置の概念図である。
【００３５】
用紙束収容手段３０は、傾斜配置された用紙載置台３５、移動可能な用紙後端位置決め部材３６、用紙の幅方向の整合を行う整合部材３７、等を有する。
【００３６】
画像形成装置Ａから排出され前記用紙搬送手段１０によって送られた用紙Ｓは、前記用紙載置台３５に順次載置され、所定枚数の用紙からなる用紙束Ｓ１を形成する。
【００３７】
用紙束収容手段３０の用紙載置台３５上に積載された用紙束Ｓ１は、整合が終わると、把持手段４１によって把持される。把持手段４１による用紙束Ｓ１の把持がなされると、用紙後端位置決め部材３６は図示しない駆動手段により移動されて用紙載置台３５の下方に待避する。
【００３８】
用紙束Ｓ１を把持した把持手段４１は、図示の破線で示す斜め下方に移動したのち旋回して、用紙束Ｓ１に糊塗布処理をする背Ｓａが下側になるように用紙束Ｓ１を直立状態に保持して、所定位置に停止する。
【００３９】
一方、表紙供給手段６０の表紙積載手段６１内に収容された表紙用紙Ｓ２は、給紙手段６２により分離、給送され、搬送ローラ６３，６４，６５に挟持され、表紙支持手段８０の搬送ローラ８１，８２によって搬送され、所定位置に停止される。
【００４０】
表紙用紙Ｓ２が、用紙束Ｓ１に対してくるみ製本処理を行う際に必要な長さよりも長い場合には、搬送ローラ６５の図示右方に配置された表紙断裁手段７０によって表紙用紙Ｓ２の断裁を行い、あらかじめ余分な部分を取り除く。
【００４１】
図３は糊塗布手段５０の概念図である。また、図４は糊塗布手段５０、及び把持手段４１に把持された用紙束Ｓ１を示す斜視図であり、図５は糊塗布手段５０の動きを説明する図である。なお、図５（ａ）は、側面図、図５（ｂ）は上面図である。
【００４２】
糊塗布手段５０は糊Ｎを収容する収容部材である溶融タンク５３、塗布部材としての塗布ローラ５１及び規制部材５０３、掻取手段５０４、ヒータＨ１、Ｈ２、糊温度センサＴＮ、及び残量センサ５０６を有する。
【００４３】
５９は固形糊ＰＴを補給する補給装置であり、溶融タンク５３の糊量を検知する残量センサ５０６の信号に基づいて団塊状の固形糊ＰＴを補給する。なお、溶融タンク５３の外周部と塗布ローラ５１の内部には、ヒータＨ１、Ｈ２が備えられており、溶融タンク５３に補給された固形糊ＰＴは、所定温度に加熱され溶融状態となり、塗布前の糊Ｎとなる。
【００４４】
糊Ｎの量は、残量センサ５０６の検知信号に応じて固形糊ＰＴが補給装置５９から補給され、液面が一定になるように維持される。
【００４５】
５０３は断面がほぼ円形の棒状の規制部材、５０４は掻取手段であり、板状の支持部材５０７に、塗布領域外の両端部をネジ留めすることにより固定されている。溶融タンク５３は点線で示す待機状態から実線で示す塗布状態に軸５０１Ａを中心に回転して設定される。
【００４６】
掻取手段５０４は、最も上方のエッジ部の主掻取部５０４Ａ、主掻取部５０４Ａよりもわずか下方に位置する補助掻取部５０４Ｃにより、塗布ローラ５１により用紙束Ｓ１の背に塗布された糊が所定の厚みになるように掻き取る手段である。
【００４７】
規制部材５０３は、塗布ローラ５１を挟んで前記掻取手段５０４の反対側に配置された、糊の塗布厚を規制する部材である。
【００４８】
５４は溶融タンク５３を支持する移動体である。移動体５４は、製本装置Ｂの背面側の初期位置（図５（ａ）左端）からＷ２方向に移動を開始して、ガイド５５に沿って移動され、製本装置Ｂの前面側の所定位置で停止した後、Ｗ３方向に反転駆動され初期位置に復帰する。
【００４９】
即ち、直立状態に保持された用紙束Ｓ１の背Ｓａへの糊の塗布は、溶融タンク５３中の糊に浸漬され、モータＭ及び駆動手段５２により回転する塗布ローラ５１を用紙束の背Ｓａに対して往復運動させることにより行い、往動時（Ｗ２方向）には主に規制部材５０３により、復動時（Ｗ３方向）には主に掻取手段５０４により糊Ｎの塗布量の規制を行う。
【００５０】
図６は、用紙束Ｓ１と表紙用紙Ｓ２の接着処理実行時の用紙束搬送手段４０と表紙支持手段８０の位置を示す概念図である。
【００５１】
用紙束Ｓ１への糊塗布工程終了後、図示しない駆動手段により昇降手段８６が移動筐体８４を所定位置としての上昇位置に移動させる。この上昇位置において、加圧部材８３上に載置された表紙用紙Ｓ２の中央部は、用紙束Ｓ１の糊塗布面に圧接され接着される。
【００５２】
図７は、表紙用紙Ｓ２の折り曲げ工程を示す表紙支持手段８０と用紙束Ｓ１の断面図であり、図７（ａ）は表紙折り曲げ開始時、図７（ｂ）は表紙折り曲げ中間時、図７（ｃ）は表紙折り曲げ終了時、図７（ｄ）は表紙折り曲げ加圧解除時をそれぞれ示す。
【００５３】
糊Ｎが塗布された用紙束Ｓ１の背Ｓａに表紙用紙Ｓ２を接着したのち、図６に示す表紙支持手段８０の上昇状態において、一対の折曲部材８８が図示しない駆動手段によって駆動される。用紙束Ｓ１を把持した把持部材４１が下降する。用紙束Ｓ１が下降することにより、表紙用紙Ｓ２は一対の折曲部材８８に挟持されて下降し、用紙束Ｓ１の糊塗布面の側縁部から湾曲される。
【００５４】
その後、一対の折曲部材８８は、用紙束Ｓ１の糊塗布面側へ向かって水平方向に移動して用紙束Ｓ１の両側面を圧迫して整形し、冊子Ｓ３を形成する。
【００５５】
排出ベルト８７により排出された冊子Ｓ３は、図１に示す冊子収容装置Ｃの昇降可能な搬送ベルト９１上に載置され、搬送ベルト９１の回動によって順次排出され、排紙台９２上に積載収容される。
【００５６】
以上説明した製本装置で使用される糊は、ホットメルトタイプの接着剤であり、団塊状の固形糊ＰＴが溶融タンク５３に投入されて溶融された後、塗布に適した温度を維持するように温度管理がなされる。
【００５７】
温度管理は、制御手段Ｃが糊温度センサＴＮからの信号を基にヒータＨ１、Ｈ２を制御することによりなされる。
【００５８】
しかしながら、既に述べたように、オフィスにおいては、製本装置Ｂは常に継続的に使用されるとは限らない。
【００５９】
特に、画像形成装置Ａと製本装置Ｂとが連結された製本システムにおいては、製本をしないジョブの処理に製本システムが用いられることも多いことから、製本装置の待機時間が長くなる場合がある。
【００６０】
本発明の製本装置は、このような待機時間における装置の消費電力を減らす為に、通常の製本処理を行う動作モードである製本モード以外にパワーセーブモードを有している。なお、パワーセーブモードとは、装置が待機状態を維持するために必要とする最小限の電力供給を受ける状態にある動作モードをいう。
【００６１】
図８は、製本システムの制御関係を示すブロック図である。
【００６２】
画像形成装置Ａは制御手段ＣＡ、製本装置Ｂは制御手段ＣＢを有し、それらの制御手段は通信手段ＴＲを介して情報交換を行う。
【００６３】
制御手段ＣＡ、制御手段ＣＢは共にＣＰＵ、メモリ、演算ユニット、入出力インターフェイス回路、駆動回路等を有するコンピュータシステムであり、各制御は、メモリに格納されている所定のプログラムを実行することにより行われる。
【００６４】
なお、本図では、本発明の説明に直接関係しないブロックの記載が省略されている。
【００６５】
図９は、製本装置Ｂのモード切替制御１００の流れを示すフローチャートである。
【００６６】
製本処理を行うジョブが完了すると（ステップＳ１：Ｙ）、制御手段ＣＢはパワーセーブモードへ移行する（ステップＳ２）。
【００６７】
パワーセーブモードに入ると、溶融タンク５３中の糊Ｎの設定温度は第１の設定温度ＴＮ１から第２の設定温度ＴＮ２に下げられる。その結果、設定温度を維持するためのヒータＨ１、Ｈ２に供給される電力が低下する。
【００６８】
なお、第１の設定温度ＴＮ１とは、塗布に適した糊の温度であり、第２の設定温度ＴＮ２とは第１の設定温度未満の温度であり、且つ糊の融点以上の温度である。
【００６９】
第２の設定温度ＴＮ２を糊の融点とした場合は、節電糊の劣化、臭気の発生等に対する効果が高い。
【００７０】
一方、第２の設定温度ＴＮ２と第１の設定温度ＴＮ１との差を小さくした場合には、第２の設定温度ＴＮ２から第１の設定温度ＴＮ１に復帰させるまでの時間を短くできる。
【００７１】
また、第２の設定温度ＴＮ２を糊の融点未満に設定した場合、糊は室温に保持され固化してしまうため、第１の設定温度に復帰させる際に、塗布ローラ５１を直ちに回動させることができない。
【００７２】
従って、塗布ローラ５１による糊の攪拌によって、溶融タンク５３内の糊を速やかに第１の設定温度に復帰させることができない。
【００７３】
仮に、溶融タンク５３内の糊が固化している状態で塗布ローラ５１を回動させようとすると、塗布ローラ５１の駆動源であるモータ、モータ駆動回路、塗布ローラ駆動機構に過剰な負荷がかかることとなり、それらに損傷を与えてしまう。
【００７４】
なお、これらの設定温度は実験により決定されるものである。
【００７５】
次いで、待機ジョブがあるか否かが判定される（ステップＳ３）。なお、ジョブの設定は、画像形成装置Ａの操作表示手段９、又は画像形成装置Ａにネットワーク接続されているパーソナルコンピュータを用いてユーザが行うものであり、設定に関わる情報は制御手段ＣＡと制御手段ＣＢとで共有される。
【００７６】
本例の画像形成システムにおいては、受け付けた複数のジョブを待機させて、それらのジョブを所定の順番で１つずつ実行する。
【００７７】
もし、待機しているジョブがない場合には（ステップＳ３：Ｎ）、処理ルーチンを出て、待機しているジョブがある場合には（ステップＳ３：Ｙ）、それらのジョブの中に、製本処理を伴うジョブ（製本モードのジョブ）が存在するか否かが判定される（ステップＳ４）。
【００７８】
もし、存在しない場合には（ステップＳ４：Ｎ、）、そのまま処理ルーチンを出て、存在した場合には（ステップＳ４：Ｙ）、製本モードのジョブを開始するまでの時間Ｔが、プログラムである開始時間算定手段２００によって算出される（ステップＳ５）。
【００７９】
算出された時間Ｔが、予め設定された時間ＴＴよりも短い場合には（ステップＳ６：Ｎ）、パワーセーブモードから製本モードに移行し（ステップＳ１０）、処理ルーチンを出る。
【００８０】
算出された時間Ｔが、予め設定された時間ＴＴ以上である場合には（ステップＳ６：Ｙ）、パワーセーブモードから製本モードに移行するまでの時間Ｔ１がモード変更タイマーＴＭにセットされる（ステップＳ７）。
【００８１】
なお、上記の時間Ｔ１は、開始時間算定手段２００によって算出された時間Ｔが、予め設定された時間ＴＴ以上である場合にモード変更タイマーＴＭにセットされるものであるが、その目的は、製本モードのジョブが開始され、糊の塗布を行う直前に糊Ｎの温度が塗布に適した温度である第１の設定温度に到達させることにある。
【００８２】
このような処理により、製本モードのジョブが予約設定された場合にも、該製本モードのジョブ開始以前に、糊の温度が第１の設定温度に上昇することがなくなり、省エネルギー化や糊の劣化抑制が実現される。
【００８３】
なお、時間ＴＴは、パワーセーブモードにて第２の設定温度に維持されている糊Ｎを製本モードの第１の設定温度まで上昇させるために必要な時間であり、実験により決定されるものである。また、算出された時間Ｔ、及びモード変更タイマーＴＭにセットされる時間Ｔ１との関係は、Ｔ１＝Ｔ−ＴＴである。
【００８４】
モード変更タイマーＴＭが計時を開始して（ステップＳ８）、計時時間ｔが、Ｔ１に到達したならば（ステップＳ９：Ｙ）、パワーセーブモードから製本モードに移行して（ステップＳ１０）、処理ルーチンを出る。
【００８５】
上述した例は、製本装置Ｂのモード切替制御は、制御手段ＣＢが通信手段ＴＲを介して画像形成装置Ａの制御手段ＣＡから情報を入手し、メモリＭＢに格納されているプログラムであるモード切替制御１００を実行することによって行うものであるが、制御手段ＣＡが通信手段ＴＲを介して製本装置Ｂの制御手段ＣＢから情報を入手し、ステップＳ３からステップＳ９までの流れに相当する処理を行い、結果を制御手段ＣＢに送るようにしても良い。
【００８６】
さらに、本発明の製本システムにおいては、画像形成装置Ａの電力供給状態（パワー供給状態）に対応して、製本装置Ｂの電力供給状態（パワー供給状態）を制御している。
【００８７】
図１０は、画像形成装置Ａのパワー状態に対応する製本装置Ｂのパワー制御３００の流れを示すフローチャートである。
【００８８】
製本装置Ｂの制御手段ＣＢは、画像形成装置Ａの制御手段ＣＡから通信手段ＴＲを介して認識される画像形成装置Ａに供給されている電力供給状態を確認し、もし、電力供給がなされていない電源シャットオフ状態にあるならば（ステップＳ２１：Ｙ）、製本装置Ｂを電源シャットオフ状態とする（ステップＳ２５）。
【００８９】
一方、もし、オン状態にあるならば（ステップＳ２１：Ｎ）、画像形成装置Ａが節電状態であるか否かを判定する（ステップＳ２２）。なお、節電状態とは、画像形成装置Ａが定着手段８をはじめとする節電対象手段に供給する電力を低減している待機状態にある状態をいう。
【００９０】
もし、節電状態ではない場合には（ステップＳ２２：Ｎ）、処理ルーチンを出て、もし、節電状態にある場合には（ステップＳ２２：Ｙ）、製本装置Ｂ自体がパワーセーブモードであるか否かを判定する（ステップＳ２３）。
【００９１】
すでに、パワーセーブモードに入っていた場合には、そのままの状態でルーチンを出て、入っていなかった場合、即ち、製本モードに入っていた場合には、パワーセーブモードに移行して（ステップＳ２４）、処理ルーチンを出る。
【００９２】
このような実施の形態の他に制御手段ＣＡが画像形成装置Ａを電源シャットオフ状態、もしくは節電状態に切り替える際に、通信手段ＴＲを介して製本装置Ｂの制御手段ＣＢに切替信号を発し、その信号を受けた制御手段ＣＢが製本装置Ｂを電源シャットオフ状態もしくはパワーセーブモードに切替え制御する形態であっても良い。
【００９３】
以上説明したように、本発明の製本装置又は製本システムによって、製本装置の消費電力が節約されると共に、製本装置で使用する糊の劣化防止や、糊から発生する臭気の低減が図られる。
【図面の簡単な説明】
【００９４】
【図１】製本システムの概念図である。
【図２】用紙束の形成と以降の工程を説明する製本装置の概念図である。
【図３】糊塗布手段の概念図である。
【図４】糊塗布手段、及び把持手段に把持された用紙束を示す斜視図である。
【図５】糊塗布手段の動きを説明する図である。
【図６】用紙束搬送手段と表紙支持手段の位置を示す概念図である。
【図７】表紙用紙の折り曲げ工程を示す表紙支持手段と用紙束の断面図である。
【図８】製本システムの制御関係を示すブロック図である。
【図９】製本装置のモード切替制御の流れを示すフローチャートである。
【図１０】製本装置のパワー制御の流れを示すフローチャートである。
【符号の説明】
【００９５】
５０  糊塗布手段
５３  溶融タンク
Ａ  画像形成装置
Ｂ  製本装置
ＣＡ  制御手段（画像形成装置）
ＣＢ  制御手段（製本装置）
Ｈ１、Ｈ２  ヒータ
Ｎ  糊
ＰＴ  固形糊
Ｓ  用紙
Ｓ１  用紙束
ＴＮ  糊温度センサ
【図１】
2008302576.tif 000003
【図２】
2008302576.tif 000004
【図３】
2008302576.tif 000005
【図４】
2008302576.tif 000006
【図５】
2008302576.tif 000007
【図６】
2008302576.tif 000008
【図７】
2008302576.tif 000009
【図８】
2008302576.tif 000010
【図９】
2008302576.tif 000011
【図１０】
2008302576.tif 000012